(57)【特許請求の範囲】
【請求項１】
排出口から排出される転写材を順次に集積する排紙装置本体内に設けた積載台と、この積載台を所定の位置に載置し且つ前記積載台上の積載量に応じて上下方向に該所定の位置から第１の位置または第２の位置に移動させる移動手段と、前記積載台に集積された転写材を載置する前記排紙装置に着脱可能な台車とを有し、
前記移動手段は、前記転写材の排出方向に対して横切る方向に排紙装置本体から外部に前記移動手段を露出させるスライド部材と、前記排紙装置本体に前記移動手段を係止する第１のロック部材とを有し、前記積載台が前記移動手段の前記第１の位置に位置しているときのみに、前記積載台に設けたリンク部材が前記第１のロック部材に連結され、更に前記リンク部材を動作させることにより前記第１のロック部材が前記排紙装置から解除され前記積載台とともに前記移動手段が前記スライド部材によって引き出され、
前記積載台が前記第２の位置に位置しているとき前記台車を前記排紙装置から引き出すことを特徴とする転写材処理装置。
【請求項２】
前記移動手段は、前記積載台を磁力によって吸着させる磁石を有し、前記移動手段を前記台車の第２の位置より低い位置に移動させて前記積載台を前記移動手段から分離させることを特徴とする請求項１記載の排紙装置における転写材処理装置。
【請求項３】
前記排紙装置本体に前記台車を係止する第２のロック部材を設けたことを特徴とする請求項１乃至３いずれか記載の排紙装置における転写材処理装置。
【発明の詳細な説明】
【０００１】
【発明の属する技術分野】
本発明は、複写機、プリンター等の画像形成装置から排出された転写材を積載する排紙装置における転写材処理装置に関し、特には、排出された転写材を積載した積載台を台車で排紙装置本体から取り出すことができる転写材処理装置に関する。
【０００２】
【従来の技術】
一枚ずつ高速で画像形成装置あるいは画像形成部に給紙させ、画像形成された転写材を排出させ積載台に転写材の一端側が揃えるように積載する排紙装置が知られる。
例えば、画像形成された転写材を所定の位置に位置する排出口から排出される転写材の上面を吸引ベルトで吸引搬送して排紙装置本体内に設けた積載台に順次に積み重ね、転写材の最上面の位置が変化したことを検知して積載台が移動手段によって下方に移動させ多数枚の転写材を積載している。
積載された転写材は数千枚になる場合も生じ、重量にして数十Ｋｇとなってしまう。この積載された転写材を装置本体から取り出して台車に乗せ変えて外部の任意の位置に運び出している。
【０００３】
一方、少数の転写材を積載台に積載した場合には、積載された転写材を台車に乗せ変える必要はないが、オペレータが排紙装置本体内の狭い空間内から転写材の取り出し作業を行っている。
【０００４】
【発明が解決しようとする課題】
上記したように排出された転写材を排紙装置内の積載台から台車に乗せ変えたり、少数枚の転写材を排紙装置内の積載台に手をさしのべて取らなくてはならず、繁雑な作業となり、オペレータに負担がかかってしまう。
【０００５】
本発明は、上記した問題点に鑑みてなされたものであり、積載台に排出された転写材を簡単な構成により且つワンタッチで解除して排紙装置から外部に運び出すことができる転写材処理装置を提供することを課題とする。
【０００６】
【課題を解決するための手段】
上記問題を解決するため、排出口から排出される転写材を順次に集積する排紙装置本体内に設けた積載台と、この積載台を所定の位置に載置し且つ積載台上の積載量に応じて上下方向に該所定の位置から第１の位置または第２の位置に移動させる移動手段と、積載台に集積された転写材を載置する排紙装置に着脱可能な台車とを有し、移動手段は、転写材の排出方向に対して横切る方向に排紙装置本体から外部に移動手段を露出させるスライド部材と、排紙装置本体に移動手段を係止する第１のロック部材とを有し、積載台が移動手段の第１の位置に位置しているときのみに、積載台に設けたリンク部材が第１のロック部材に連結され、更にリンク部材を動作させることにより第１のロック部材が排紙装置から解除され積載台とともに移動手段がスライド部材によって引き出され、積載台が第２の位置に位置しているとき台車を排紙装置から引き出すことを特徴とする。
【０００７】
また、前記移動手段は、前記積載台を磁力によって吸着させる磁石を有し、前記移動手段を前記台車の第２の位置より低い位置に移動させて前記積載台を前記移動手段から分離させることを特徴とする。
【０００９】
このような構成において、多数枚の転写材を積載台上に積載した場合には、積載台を排紙装置から分離して台車に載置させ、ロックを排紙装置から解除して台車を引き出して排紙装置外に運ぶことができる。また、少数枚の転写材である場合には、積載台を載置している移動手段をスライド移動して排紙装置本体から露出させて転写材を取り除くことができる。
【００１０】
【発明の実施の形態】
この発明の好適な実施例を図面に基づいて説明する。
図１は画像形成装置１の一例を示す概略図であり、大別して給紙部２、画像形成部３、排紙部４とを有する。
給紙部２は、使用する転写材のサイズや種類別に複数のスタッカー５ａ、５ｂに積載されており、オペレータが選択した転写材を画像形成部に吸引ベルト６などの給紙手段により一枚ずつ画像形成部３へと給紙している。
【００１１】
画像形成部３は周知の画像を形成する手段が備えられており、給紙部２から送られてきた転写材に対して画像形成がなされ、例えば、感光ドラム７を中心に一様帯電を行うコロナ帯電器８と、画像データを感光ドラム７上に露光するＬＥＤアレイ等の露光装置９と、露光装置９によって形成された感光ドラム７上の静電潜像を現像剤で現像する現像装置１０と、感光ドラム７上に現像されたトナー画像を転写材に転写する転写コロナ放電器１１と、転写材を感光ドラム７から剥離する分離コロナ放電器１２と、転写後に残留したトナーを除去するブレード等のクリーニング装置１３と、感光ドラム７表面を除電するイレーサーランプ１４と、未定着のトナー像を担持した転写材を定着する定着装置１５とを有する。
【００１２】
排紙部４において画像形成された転写材は、少数枚のプリントにおいては切替手段の切り替えによって上方に位置するトレイ１６に排出している。トレイ１６は排出口１７の下側位置から上方向に傾斜して延びており、出力された転写材の後端を排出口１７の下側の壁に接触させて先端揃えを行っている。
また、多数枚のプリントのときは切り替え手段の切り替えによって下方に位置する排紙装置１８における転写材処理装置１９の積載台２０に向かって転写材を積み重ねるように積載している。
【００１３】
図２に排紙装置１８における転写材処理装置１９の概略側面図、図３に排紙装置１８における転写材処理装置１９の概略正面図、図４に排紙装置１８における転写材処理装置１９の概略上面図を示す。排紙装置１８における転写材処理装置１９は、所定の位置に位置する排出口２１から排出される転写材を順次に集積する積載台２０と、積載台２０を第１の位置で載置し且つ転写材の積載量に応じて上下方向に移動させる移動手段２２と、移動手段２２から積載台２０を分離して第２の位置に載置し且つ排紙装置１８に対して着脱可能に設けた台車２３とを有する。
【００１４】
積載台２０は、ほぼ四角形状であって平坦な面を有し、最大サイズの転写材の大きさより大きいサイズとなっている。積載台２０の上面には積載される転写材がスムーズに移動させるために複数のテフロンテープが転写材の排出方向に沿うように貼られている。積載台２０の下面には移動手段２２を第１の位置で位置決めさせる孔２４と長孔２５とが設けられており、移動手段２２を構成する後述する保持部材２６に設けた突起２７と係合して位置決めされる。孔２４と長孔２５の長手方向は、転写材の排出方向に対して積載台２０が平行するような方向に設けられ、且つ転写材の排出方向に対して平行するように突起２７を設けることにより、長孔２５のいずれの部分に突起２７が係合しても積載台２０の平行が保持される。
【００１５】
また、積載台２０は、後述する台車２３の載置部２８の所定の位置に位置させるための孔２９と長孔３０とを有する。そして載置部２８に設けた突起３１と係合して位置決めされる。
【００１６】
移動手段２２は、積載台２０を保持する保持部材２６と、保持部材２６を排紙装置から水平方向にスライド移動させるスライド部材３２と、積載台２０を上下に移動させるリフト３３とを有する。
保持部材２６は積載台２０に設けた孔２４および長孔２５を係止する突起２７が設けられており、積載台２０が保持部材２６に第１の位置として係止される。
【００１７】
リフト３３は、移動手段２２を構成する保持部材２６に連結されたスライド部材３２を上下方向に移動させるように排紙装置１８本体に設けられている。スライド部材３２の４カ所にナット３４を設け、このナット３４に排紙装置１８本体側に回転可能に設けたスクリュウ３５を螺合させる。底板３６内にそれぞれのスクリュウ３５の先端にプーリー３７を設けてタイミングベルト３８を掛け、不図示の駆動手段の駆動を受けてスクリュウ３５を駆動させて転写材の最上面の位置が常時一定となるようにスライド部材３２の位置を制御している。
【００１８】
スライド部材３２は、後述する第１のロック部材４３を解除することにより保持部材２６を積載台２０と共に水平方向にスライドさせるもので、好ましくは複数のレールを組み合わせてスライド移動可能に設けたアキュライド（商品名）よりなる。
【００１９】
台車２３は排紙装置１８内部に対して着脱自在に設けられており、積載台２０を台車２３上の第２の位置に載置して転写材処理装置１９から取り外して運ぶことができるように設けられている。
【００２０】
実施例においては転写材処理装置１９の底板３６内に前記したようにそれぞれのスクリュウ３５を同時に回転駆動させるタイミングベルト３８が張り渡されており、底板３６が厚くなっている。このため、底板３６と転写材処理装置１９を支持するキャスタ３９の高さの間に、台車２３を支持する支持部４１を差し込み、底板３６を挟むように底板３６の上方に積載台２０を載置する載置部２８を積載台２０の下側に位置するようにガイド４２に沿って挿入する。支持部は台車２３を自在に移動できるようにキャスタ４０が設けられている。符号６９は画像形成装置を水平に設置するための高さ調整可能な固定脚を示す。
【００２１】
台車２３を転写材処理装置１９本体内に挿入した後は台車２３が排紙装置１８に第２のロック部材４４により固定される。このとき載置部２８の下面が底板に設けたコロ７１によりスムーズに送られる。第２のロック部材４４は、台車２３に設けた支点４５を中心に枢動可能なレバー４６と底板３６上に設けた突起４７とを有し、レバー４６の先端のフック部分４８と突起４７とが係止してロックされる。第２のロック部材４４の解除はレバー４６を引くことにより突起４７からフック部４８分が外れてロックが解除され、台車２３が移動可能となる。
【００２２】
台車２３には、移動させやすいように取っ手６２が着脱自在に設けられており、台車を引き出すときに取っ手６２の先端を取り付け孔６３に挿入して引き出す。
尚、取っ手６２の強度が弱い場合に無理に引っ張ると曲がるなど変形してしまう場合が生じる。このため、第２のロック部材４４を設けることにより不用意な引っ張りを防止している。
【００２３】
台車２３には載置部２８と移動部４１との間を支持する支持部７０および補強する補強部材４９が設けられており、載置部２８が挿入されるに従って載置部２８と支持部４１との間に設けた補強部材４９が支点５０を中心に枢動して転写材処理装置１９内部に収まるように設けられている。これにより台車２３が引き出されたときに補強部材４９の先端ローラ６８が載置部２８に当接し、載置部２８と移動部４１とを支持、両者間を補強して積載した転写材を支える。
【００２４】
更に移動手段２２の保持部材２６の上面には、積載台２０を磁力によって吸着させる磁石５１が設けられている。磁石５１により鉄板などで形成されている積載台２０を磁力の作用により吸着して保持する。積載台２０を分離するときは、移動手段２２を台車２３の第２の位置より低い位置となるように移動させて磁石５１による吸着を解除して積載台２０を移動手段２２から分離させる。
【００２５】
また、移動手段２２は、転写材の排出方向に対して横切る方向に転写材処理装置１９本体から移動手段２２を露出させるスライド部材３２と、排紙装置１８本体の側壁に移動手段２２を係止する第１のロック部材４３とを有する。第１のロック部材４３は、積載台２０に設けたレバー５２と、積載台２３内に設けられレバー４３の動作に連動するリンク部材５３と、リンク部材５３の先端側と係合するＬ字金具５４と、Ｌ字金具５４を係止する排紙装置１８内に設けた突起５５とを有する。
【００２６】
レバー５２はばね手段などによりリンク部材５３が矢印Ａ方向とは逆の向きに付勢するように設けられ、レバー５２を動作させると、レバー５２に連動して移動するリンク部材５３が矢印方向に所定の距離移動する。リンク部材５３の先端側には係合部５７が設けられており、Ｌ字金具５４の一端に設けた突起５８に係合する。係合部５７と突起５８は積載台２０が移動手段２２の第１の位置に位置しているときのみに係合するように設けられている。また、Ｌ字金具５４は支点５９と、他端側にフック６０とを有し、常態においては支点５９を中心にばね手段５６の作用にって矢印Ｂ方向に付勢するように設けられている。
【００２７】
こうしてレバー５２を動作することによりＬ字金具５４の他端側に設けたフック６０と転写材処理装置１９本体に設けた突起５５との係合が解除され、積載台２０が排紙装置１８本体から離れ、スライド部材３２によってスライド移動させることにより積載台２０が保持部材２６とともに外部に露出される。
【００２８】
実施例において排紙装置１８内に転写材を積載台２０上に積載する方法について細述する。
排紙装置１８は、吸引搬送手段６５と、ガイド部材６６と、押圧移動手段６４とを有し、排出口２１から排出された転写材を吸引搬送手段６５によって転写材の上面を吸引しながらガイド部材６６に導く。吸引搬送手段６５の搬送力により転写材の搬送速度に設定された押圧移動手段に到達し、転写材の先端を揃えるように押し当てる。押圧移動手段のベルトの表面は、転写材を押圧しながら前に集積した転写材との間を移動させることができ、且つ転写材の先端がガイド部材に突き当たったときに転写材との間でスリップが生じ、転写材のこれ以上の移動することがない摩擦抵抗を有する。
【００２９】
このような構成により動作について説明する。
排紙装置１８内の保持部材２６の第１の位置に位置する積載台２０上に転写材が所定枚数積載され画像形成が終了する。オペレータはコントロールパネルに設けた積載台２０を下方に移動させるスイッチを動作させ、移動手段２２によりリフト３３が動作して保持部材２６とともに積載台２０が下方に移動する。リフト３３は保持部材２６がリミッターに当接するまで作動し、停止する直前に積載台２０が台車２３の積載部分の第２の位置に載置され、孔２９および長孔３０と突起３１とが係合して位置決めされる。保持部材２６が更に下方に下がることにより磁石５１の作用から開放され積載台２０を分離する。
【００３０】
次いで、第２のロック部材４４を解除して台車２３を排紙装置１８本体から分離させる。オペレータは台車２３をガイド６７に沿って引き出して積載された転写材とともに所定の位置に運び出す。このとき台車２３の引き出し動作に伴って補強部材４９が台車２３の載置部２８と支持部４１との間を補強する。
実施例においては第１の位置の保持部材２６上に積載台２０を確実に載置するために磁石５１を用いたが、第２の位置の台車２３の載置部２８に磁石を設け、載置部２８と積載台２０とを磁石の作用により吸着するように設けても良い。
【００３１】
台車２３に積載された転写材を所定の位置に運んで下ろした後に再度台車２３をガイド６７に沿って装置本体内に装着し、第２のロック部材４４によって台車２３と排紙装置１８とがロックされるまで挿入してセットされる。
【００３２】
一方、積載台２０上に台車２３を使用しない程度の枚数の転写材が積載されている場合について説明する。
積載台２０上に積載されている転写材を取り出すために、オペレータがコントロールパネルなどにより積載台２０を下方にわずかに移動させ、移動押圧手段６４の押圧を解除する。
次いでオペレータが第１のロック部材４３を解除するようにレバーを動作させながら排紙装置外側に向かって引き出す。するとリンク部材５３とＬ字金具５４とが連動してフック６０が突起５８から解放され、台車２３と保持部材２６とがスライド部材３２のスライド移動に伴って排紙装置外部に露出され、転写材を取り除く。
【００３３】
転写材を取り除いたあとに積載台と保持部材とを排紙装置本体内に移動させ台１のロック部材によりロックされるまで移動させる。
その後自動的あるいはオペレータの指示により積載台が移動手段によって移動して押圧移動手段に対して所定の位置に位置され、次の画像形成のために準備される。
【００３４】
【発明の効果】
このような構成により、多数枚の転写材を積載台上に積載した場合には、積載台を排紙装置から分離して台車に載置させ、第２ロックを排紙装置から解除して台車を引き出して排紙装置外に運ぶことができる。また、少数枚の転写材である場合には、積載台を載置している移動手段をスライド移動して排紙装置本体から露出させて転写材を取り除くことができる。
また、磁石を用いたことにより簡単な動作および安定した状態で積載台を保持部材あるいは台車に載置することができる。
【図面の簡単な説明】
【図１】  画像形成装置の概略断面図。
【図２】  本発明による排紙装置における転写材処理装置を示す正面図。
【図３】  本発明による排紙装置における転写材処理装置を示す側面図。
【図４】  本発明による排紙装置における転写材処理装置を示す上面図。
【符号の説明】
１  画像形成装置
２  給紙部
３  画像形成部
４  排紙部
５ａ、５ｂ  スタッカー
６  吸引ベルト
７  感光ドラム
８  コロナ帯電器
９  露光装置
１０  現像装置
１１  転写コロナ放電器
１２  分離コロナ放電器
１３  クリーニング装置
１４  イレーサランプ
１５  定着装置
１６  トレイ
１７  排出口
１８  排紙装置
１９  転写材処理装置
２０  積載台
２１  排出口
２２  移動手段
２３  台車
２４  孔
２５  長孔
２６  保持部材
２７  突起
２８  載置部
２９  孔
３０  長孔
３１  突起
３２  スライド部材
３３  リフト
３４  ナット
３５  スクリュウ
３６  底板
３７  プーリー
３８  タイミングベルト
３９  キャスター
４０  キャスター
４１  支持部
４２  ガイド
４３  第１のロック部材
４４  第２のロック部材
４５  支点
４６  レバー
４７  突起
４８  フック部材
４９  補強部材
５０  支点
５１  磁石
５２  レバー
５３  リンク部材
５４  Ｌ字金具
５５  突起
５６  ばね手段
５７  係合部
５８  突起
５９  支点
６０  フック
６２  取っ手
６３  取り付け孔
６４  移動押圧手段
６５  吸引搬送手段
６６  ガイド部材
６７  ガイド
６８  先端ローラ
６９  固定脚
７０  支持部
７１  コロ
【図１】
0004570060.tif 000002
【図２】
0004570060.tif 000003
【図３】
0004570060.tif 000004
【図４】
0004570060.tif 000005